(57)【要約】【課題】遊技球の排出路をスペース効率よく設けることで、設計の自由度を向上し得る遊技機を提供する。【解決手段】板状部材２０に、枠状装飾部材に配設した第２始動入賞装置より下側に特別入賞装置３３が配設される。特別入賞装置３３は、後端部が板状部材２０から後方に突出している。枠状装飾部材に、第２始動入賞装置の第２始動入賞口に入賞したパチンコ球を後方へ誘導する入賞口用誘導路８４が設けられる。板状部材２０の裏側に配設された設置部材１９に、入賞口用誘導路８４に連通して該誘導路８４から通入したパチンコ球を機外へ排出する入賞球排出経路５７が設けられる。入賞球排出経路５７の入賞口用誘導路８４との連通口である入賞用開口５６ａは、特別入賞装置３３の後端より前側に偏倚しており、入賞球排出経路５７は、特別入賞装置３３の後方を迂回するように上下方向に延在している。【選択図】図１６
2015029733.tif 000002
【特許請求の範囲】
【請求項１】
遊技球が流下する遊技領域が前側に設けられた板状部材と、前側が開放した箱状に形成されて該板状部材の裏側に取付けられる設置部材と、前記板状部材に設けられて前記遊技領域に開口し、遊技球が入球可能な第１の入球口とを備えた遊技機において、
前記板状部材における前記第１の入球口より下側に配設されて後端部が該板状部材から突出し、前記遊技領域に開口して遊技球が入球可能な第２の入球口が設けられた入球ユニットと、
前記第１の入球口に入球した遊技球を後方へ誘導する誘導路と、
前記設置部材に設けられ、前記誘導路に連通して該誘導路から通入した遊技球を機外へ排出する排出路とを備え、
前記排出路は、前記入球ユニットの後方を該入球ユニットと前後に重なる位置を上下方向に延在すると共に、該排出路における誘導路との連通口または排出口の何れか一方は、前記入球ユニットの後端より前側に偏倚するよう構成される
ことを特徴とする遊技機。
【請求項２】
前記排出路は、誘導路との連通口および排出口の何れもが前記入球ユニットの後端より前側に偏倚して、該排出路は、誘導路との連通口から後方に延在した後に入球ユニットの後方を下方向に延在し、更に該入球ユニットの下方を前方に延在して前記排出口に至るよう形成される請求項１記載の遊技機。
【請求項３】
前記排出路における入球ユニットの下側に延在する前面は、前記設置部材の前側開口面に位置して板状部材の裏面を支持可能に構成される請求項１または２記載の遊技機。
【請求項４】
前記入球ユニットには、前記第２の入球口を開閉可能な開閉部材を開閉作動する駆動手段が第２の入球口の後方に配設されると共に、前記第２の入球口に入球した遊技球を後方へ誘導する第２の誘導路が駆動手段の側方を後方に延出し、
前記排出路は、前記第２の誘導路の側方において駆動手段の後方を上下方向に延在するよう構成される請求項１〜３の何れか一項に記載の遊技機。
【請求項５】
前記設置部材に設けられ、前記第２の誘導路に連通して該第２の誘導路から通入した遊技球を機外へ排出する第２の排出路の前面は、前記設置部材の前側開口面に位置して板状部材の裏面を支持可能に構成される請求項４記載の遊技機。
【発明の詳細な説明】
【技術分野】
【０００１】
この発明は、遊技盤の遊技領域を流下する遊技球が入球する複数の入球口を備えた遊技機に関するものである。
【背景技術】
【０００２】
代表的な遊技機であるパチンコ機は、前面に遊技領域が画成された板状部材と、該板状部材の裏側に配設された設置部材とから遊技盤が構成され、板状部材の略中央位置に枠状の装飾部材(所謂センター役物)が配設されると共に、設置部材に複数の図柄を変動表示して図柄変動演出を行う液晶式やドラム式等の図柄表示装置が配設されて、該図柄表示装置の表示部を枠状装飾部材の開口部に後方から臨ませて、該開口部を介して表示部で実行される演出を前側から視認可能に構成されている。また、板状部材における枠状装飾部材の下方位置に、パチンコ球(遊技球)の入賞により図柄表示装置での変動を開始させる始動入賞装置や大当り時等に開放する特別入賞装置を配設するよう構成されたものが多数提案されている(例えば、特許文献１参照)。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【先行技術文献】
【特許文献】
【０００３】
【特許文献１】特開２０１３−５９５２４号公報
【発明の開示】
【発明が解決しようとする課題】
【０００４】
近年のパチンコ機は、前記図柄表示装置で行われる図柄変動演出の多様化やインパクトを高め、遊技の面白みを増大させることを目的として、前記遊技盤に対して大型の図柄表示装置が配設される傾向が強くなっている。これに伴い、図柄表示装置の表示部を前側に露出する開口部が形成される枠状装飾部材も大型化し、該枠状装飾部材と遊技盤に配設されたレール部材とで画成されるパチンコ球が流下可能な遊技領域が狭くなる傾向にある。そして、遊技領域が狭くなると、前記始動入賞装置や特別入賞装置の配設位置が限定されることから、特許文献１のように遊技領域において上下方向で重なる位置に複数の入賞装置を配設することで対応している。
【０００５】
ここで、入賞装置に入賞したパチンコ球は、最終的には遊技店等に備えられた球回収設備に回収する必要があるため、各入賞装置に入賞したパチンコ球を機外に排出するための球排出通路が、各入賞装置毎に前記設置部材に設けられる。この場合に、上側の入賞装置に入賞したパチンコ球を機外に排出するための球排出通路は、下側の入賞装置における板状部材から後方に突出する部分と干渉しないように該突出部分の側方を下方に延在するように設けられる。一方で、設置部材には、遊技演出の興趣を高めるために、所要の動作を行う可動部材や発光演出を行うための発光基板等の各種の遊技部品が配設されるが、これら遊技部品の配設位置や可動部材の可動範囲は、球排出通路と干渉しない位置に制限されるため、下側の入賞装置における突出部分の側方に球排出通路が設けられる構成では、該球排出通路の存在によって遊技部品の設置部材に対する配設位置や可動範囲等の設計の自由度が低下する難点が指摘される。
【０００６】
すなわち本発明は、従来の技術に係る遊技機に内在する前記課題に鑑み、これを好適に解決するべく提案されたものであって、遊技球の排出路をスペース効率よく設けることで、設計の自由度を向上し得る遊技機を提供することを目的とする。
【課題を解決するための手段】
【０００７】
前記課題を克服し、所期の目的を達成するため、本願の請求項１に係る発明は、
遊技球が流下する遊技領域(21)が前側に設けられた板状部材(20)と、前側が開放した箱状に形成されて該板状部材(20)の裏側に取付けられる設置部材(19)と、前記板状部材(20)に設けられて前記遊技領域(21)に開口し、遊技球が入球可能な第１の入球口(34a)とを備えた遊技機において、
前記板状部材(20)における前記第１の入球口(34a)より下側に配設されて後端部が該板状部材(20)から突出し、前記遊技領域(21)に開口して遊技球が入球可能な第２の入球口(33e)が設けられた入球ユニット(33)と、
前記第１の入球口(34a)に入球した遊技球を後方へ誘導する誘導路(84)と、
前記設置部材(19)に設けられ、前記誘導路(84)に連通して該誘導路(84)から通入した遊技球を機外へ排出する排出路(57)とを備え、
前記排出路(57)は、前記入球ユニット(33)の後方を該入球ユニット(33)と前後に重なる位置を上下方向に延在すると共に、該排出路(57)における誘導路(84)との連通口(56a)または排出口(61)の何れか一方は、前記入球ユニット(33)の後端より前側に偏倚するよう構成されることを要旨とする。
【０００８】
請求項１の発明によれば、第１の入球口に入球した遊技球を機外に排出する排出路を、該第１の入球口の下側に配設される入球ユニットの後方に迂回させるように設けることで、入球ユニットの側方に遊技部品の設置スペースを確保することができ、設置部材に対する遊技部品の設計の自由度を向上し得る。
【０００９】
請求項２に係る発明では、前記排出路(57)は、誘導路(84)との連通口(56a)および排出口(61)の何れもが前記入球ユニット(33)の後端より前側に偏倚して、該排出路(57)は、誘導路(84)との連通口(56a)から後方に延在した後に入球ユニット(33)の後方を下方向に延在し、更に該入球ユニット(33)の下方を前方に延在して前記排出口(61)に至るよう形成されることを要旨とする。
請求項２の発明によれば、排出路を流下する遊技球の勢いを弱めることができ、該排出路から遊技球が機外に勢いよく飛び出して飛散するのを抑制し得る。
【００１０】
請求項３に係る発明では、前記排出路(57)における入球ユニット(33)の下側に延在する前面は、前記設置部材(19)の前側開口面に位置して板状部材(20)の裏面を支持可能に構成されることを要旨とする。
請求項３の発明によれば、排出路を利用して板状部材を安定して支持することができる。
【００１１】
請求項４に係る発明では、前記入球ユニット(33)には、前記第２の入球口(33e)を開閉可能な開閉部材(33a)を開閉作動する駆動手段(33g)が第２の入球口(33e)の後方に配設されると共に、前記第２の入球口(33e)に入球した遊技球を後方へ誘導する第２の誘導路(33d)が駆動手段(33g)の側方を後方に延出し、
前記排出路(57)は、前記第２の誘導路(33d)の側方において駆動手段(33g)の後方を上下方向に延在するよう構成されることを要旨とする。
請求項４の発明によれば、入球ユニットにおける第２の誘導路の側方のスペースを利用して排出路をスペース効率よく設けることができる。
【００１２】
請求項５に係る発明では、前記設置部材(19)に設けられ、前記第２の誘導路(33d)に連通して該第２の誘導路(33d)から通入した遊技球を機外へ排出する第２の排出路(58)の前面は、前記設置部材(19)の前側開口面に位置して板状部材(20)の裏面を支持可能に構成されることを要旨とする。
請求項５の発明によれば、第２の排出路を利用して板状部材を安定して支持することができる。
【発明の効果】
【００１３】
本発明に係る遊技機によれば、第１の入球口に入球した遊技球を機外に排出する排出路を入球ユニットの後方を迂回するように設けることで、設置部材に配設される遊技部品の設計の自由度を向上し得る。
【図面の簡単な説明】
【００１４】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を示す概略正面図である。
【図４】実施例に係る板状部材、設置部材および枠状装飾部材を分解して前側から見た概略斜視図である。
【図５】実施例に係る板状部材と設置部材とを分離して前側から見た要部概略斜視図である。
【図６】実施例に係る枠状装飾部材に設けられる入賞ユニットを前側から見た概略斜視図であって、意匠部材を分解して示している。
【図７】実施例に係る枠状装飾部材に設けられる入賞ユニットを後側から見た概略斜視図であって、意匠部材を分解して示している。
【図８】実施例に係る板状部材の第２始動入賞装置および特別入賞装置の配設部位を後側から見た要部概略斜視図である。
【図９】実施例に係る枠状装飾部材の要部背面図である。
【図１０】実施例に係る遊技盤(板状部材)の要部拡大正面図であって、意匠部材の表面に施されている意匠は省略して示している。
【図１１】実施例に係る球排出経路部材を分解した状態で前側から見た概略斜視図である。
【図１２】実施例に係る球排出経路部材を分解した状態で後側から見た概略斜視図である。
【図１３】実施例に係る設置部材の球排出経路部材の配設部位を前側から視た要部概略斜視図である。
【図１４】実施例に係る遊技盤における特別入賞排出経路の部分で縦断した要部断面図である。
【図１５】実施例に係る遊技盤の要部横断面図であって、球排出経路部材と可動体との関係を示している。
【図１６】実施例に係る遊技盤における入賞球排出経路の部分で縦断した要部断面図である。
【図１７】実施例に係る遊技盤の要部横断面図であって、特別入賞装置、球排出経路部材および機構カバーの関係を示している。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１および図２に示すように、前後に開口する矩形枠状に形成されて遊技店の図示しない設置枠台に縦置き姿勢で設置される固定枠としての外枠１１の開口前面側に、遊技盤Ｍを着脱可能に保持する本体枠としての中枠１２が開閉および着脱可能に組み付けられて、該遊技盤Ｍの裏側に、各種図柄を変動表示可能な図柄表示装置１８が着脱可能に配設されている。また、前記中枠１２の前面側には、前記遊技盤Ｍを透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１７】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤Ｍに向けて発射されるようになっている。ここで、前記操作レバー１７ａの回動量に応じて前記打球発射装置１６によるパチンコ球の打球力が強弱変化するよう構成されており、遊技者が操作レバー１７ａの回動量を操作することで、前記遊技盤Ｍに形成された第１球流下経路２１ａ(後述)をパチンコ球が流下する所謂「左打ち」と、該遊技盤Ｍに形成された第２球流下経路２１ｂ(後述)をパチンコ球が流下する所謂「右打ち(ゴム打ち)」とを打ち分け得るようになっている。
【００１８】
(遊技盤Ｍについて)
本実施例では、所定板厚の略矩形状に形成された木材板の表面に各種絵柄等が描かれた合成樹脂シート(図示せず)等を貼付けて装飾した板状部材２０と、該板状部材２０の裏側に着脱自在に取り付けられる設置部材１９とから遊技盤Ｍが構成されている。板状部材２０の表面には、略円形状に湾曲形成された案内レール２３が配設され、該案内レール２３によってパチンコ球が流下可能な遊技領域２１が画成されている。なお、前記図柄表示装置１８は、設置部材１９の裏側に取り付けられて、後述するように該設置部材１９に設けた開口部１９ａおよび後述する枠状装飾部材３１に設けた開口部３１ａを介して板状部材２０の前側に臨むよう構成される。
【００１９】
前記案内レール２３は、図３に示す如く、板状部材２０の左下部から右上部に至るよう左方向に膨出する円弧状に形成された外レール２４と、板状部材２０の右上部、右下部および左上部に至るよう右方向に膨出する円弧状に形成された内レール２５,２６とから構成されている。前記内レール２５,２６は、外レール２４の右上端部に連接して板状部材２０の右上部から下部に亘って配設され、左端縁が右方に凹む円弧状に形成された盤面飾り部材２５と、板状部材２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２３ａが画成されている。ここで、前記内レールを構成するレール部材２６は、前記板状部材２０の左上部に開放端を臨ませて外レール２４との間に遊技領域２１に開口する打出し口２３ｂを画成するよう構成されて、前記打球発射装置１６から発射されたパチンコ球が発射通路２３ａの下方開口から飛翔して、レール部材２６の開放端側の打出し口２３ｂから遊技領域２１内に打ち出されるようになっている。
【００２０】
図３に示す如く、前記外レール２４と盤面飾り部材２５との接続位置は、外レール２４および盤面飾り部材２５の曲率の相違から段差が形成されており、該段差部分に緩衝ゴム(減勢部)２７が配設されている。すなわち、前記外レール２４の終端位置に臨むよう緩衝ゴム２７が配設されて、前記打球発射装置１６から発射されて外レール２４に沿って終端位置まで移動して緩衝ゴム２７に当接したパチンコ球を減勢し得るようになっている。なお、前記緩衝ゴム２７は、前記第２球流下経路２１ｂに位置している。
【００２１】
(板状部材２０の装着口２８)
前記板状部材２０には、図４または図８に示す如く、前後に貫通する装着口２８が前記遊技領域２１内に複数開設されて、各装着口２８に対して各種遊技部品が前側から取り付けられると共に、遊技領域２１の最下部位置には、該遊技領域２１に開口する第１アウト口(アウト口)２９が開設されており、遊技領域２１に打ち出されて第１アウト口２９に入球したパチンコ球が機外に排出されるよう構成される。また、前記板状部材２０には、前記遊技領域２１内に多数の遊技釘３０が植設されており、遊技領域２１を流下するパチンコ球が遊技釘３０に接触することでパチンコ球の流下方向を不規則に変化させるようになっている。なお、前記装着口２８の形成数は、板状部材２０に対して取り付けられる各種遊技部品の個数や配設位置等により必要に応じて適宜決定される。
【００２２】
実施例の前記板状部材２０には、図４に示す如く、前記案内レール２３で囲まれた遊技領域２１の略中央の大部分が開口する第１装着口２８に、前後に開口する開口部３１ａが形成された枠状装飾部材３１が取り付けられ、該枠状装飾部材３１の開口部３１ａを介して図柄表示装置１８の表示部が板状部材２０(遊技盤Ｍ)の前面側に臨むよう構成されている。そして、第１装着口２８(枠状装飾部材３１)の下方に開設された第２装着口２８に、遊技領域２１(後述する第１球流下経路２１ａ)を流下するパチンコ球が入賞可能な第１始動入賞口３２ａを有する第１始動入賞装置３２が取り付けられ、該第２装着口２８(第１始動入賞装置３２)の右方から上方にかけて開設された第３装着口２８に、遊技領域２１(後述する第２球流下経路２１ｂ)を流下するパチンコ球が入賞可能な特別入賞装置３３が取り付けられている(図８参照)。また、実施例のパチンコ機１０では、前記枠状装飾部材３１における特別入賞装置３３の上方であって第２球流下経路２１ｂに臨む位置に、該第２球流下経路２１ｂを流下するパチンコ球が入賞可能な第２始動入賞口３４ａを有する第２始動入賞装置３４が設けられている。
【００２３】
実施例のパチンコ機１０では、前記第１始動入賞装置３２に設けられた第１始動入賞口３２ａまたは第２始動入賞装置３４に設けられた第２始動入賞口３４ａに遊技領域２１を流下するパチンコ球が入賞することで、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当り(当り)が発生し、大当りの発生に伴って前記特別入賞装置３３が開放して多数の賞球を獲得し得る機会が与えられるようになっている。ここで、後述するように、前記第１始動入賞装置３２は、第１始動入賞口３２ａが遊技領域２１に常時開放する常時開放型の入賞装置とされ、前記第２始動入賞装置３４は、所定の開放条件および閉鎖条件(何れも後述)に従って第２始動入賞口３４ａが開閉部材３５により開閉される開閉型の入賞装置とされている。そして、前記特別入賞装置３３は、開閉体３３ａにより特別入賞口３３ｅ(図１４参照)を常には閉鎖(入賞不能状態と)するよう構成され、大当りの発生に伴って特別入賞口３３ｅを開放(入賞可能状態と)するよう構成されている。
【００２４】
(枠状装飾部材３１について)
前記板状部材２０に配設される前記枠状装飾部材３１は、図４または図９に示す如く、前記板状部材２０に開設された前記第１装着口２８の内側に沿って延在する環状に形成された枠状基部３７と、該枠状基部３７に設けられて前記板状部材２０の前面より前方に突出し、前記遊技領域２１と図柄表示装置１８の表示部(表示領域)を区切る庇状部３８と、該庇状部３８の後縁から外方に延出する薄板状の台板部３９とを備える。そして、前記枠状基部３７を第１装着口２８に挿入すると共に台板部３９を板状部材２０の前面に当接した状態で、該台板部３９をネジ等の固定手段で板状部材２０に固定することで、枠状装飾部材３１が板状部材２０に取り付けられる。ここで、前記庇状部３８は、図３に示す如く、前記枠状装飾部材３１(枠状基部３７)の左側縁の中間位置から上縁および右下縁に亘って連続して延在するよう設けられており、図柄表示装置１８の前面側を横切ってパチンコ球が流下(落下)するのを規制している。
【００２５】
前記枠状装飾部材３１には、図３,図４に示す如く、開口部３１ａの下側に、ステージ４２が配設されると共に、開口部３１ａの左側に、遊技領域２１に開口して該遊技領域２１を流下するパチンコ球を取り込んでステージ４２に案内する球導入部４３が設けられ、該球導入部４３からステージ４２に通出されたパチンコ球は、ステージ４２上を左右に転動した後に、前記第１始動入賞装置３２が配設されている遊技領域２１に排出される。またステージ４２の後端縁には、左右方向の全長に亘って上側に向けて所定高さで立上がる透明壁４４が設けられ、ステージ４２上を転動するパチンコ球が図柄表示装置１８の表示部側に移動するのを該透明壁４４で防止している。なお、実施例では、枠状装飾部材３１の枠状基部３７や庇状部３８の前側に、各種の意匠が施された光透過性の装飾部品４１が配設され、該装飾部品４１および透明壁４４によって前記図柄表示装置１８の表示部を前側に臨ませる開口部３１ａが画成されている。
【００２６】
前記庇状部３８は、図３に示す如く、最上部位置から左右方向に下方傾斜するよう形成されて、遊技領域２１に打ち出されたパチンコ球が庇状部３８上で滞ることなく前記枠状装飾部材３１の左側方または右側方へ誘導されるよう形成されている。すなわち、前記板状部材２０に画成された遊技領域２１には、前記枠状装飾部材３１の左側方をパチンコ球が流下する第１球流下経路２１ａ、および該枠状装飾部材３１の上方から右側方をパチンコ球が流下する第２球流下経路２１ｂが設けられており、前記打出し口２３ｂから遊技領域２１に打ち込まれたパチンコ球は、第１球流下経路２１ａおよび第２球流下経路２１ｂの何れかを流下するよう構成される。換言すると、前記打球発射装置１６により遊技領域２１内に発射されたパチンコ球は、到達位置に応じて前記枠状装飾部材３１およびレール部材２６(内レール２５,２６)の間に形成される第１球流下経路２１ａか、或いは枠状装飾部材３１、外レール２４および盤面飾り部材２５(内レール２５,２６)の間に形成される第２球流下経路２１ｂの何れかを流下する。そして、実施例に係るパチンコ機１０では、前記第１球流下経路２１ａをパチンコ球が流下する場合(左打ちした場合)に、パチンコ球が第２球流下経路２１ｂを流下する場合に較べて第１始動入賞装置３２の第１始動入賞口３２ａにパチンコ球が入賞する可能性が高くなるよう構成されると共に、該第２球流下経路２１ｂをパチンコ球が流下する場合(右打ちの場合)に、パチンコ球が第１球流下経路２１ａを流下する場合に較べて特別入賞装置３３の特別入賞口３３ｅや第２始動入賞装置３４の第２始動入賞口３４ａへパチンコ球が入賞する可能性が高くなるよう構成されている。なお、庇状部３８における前記開口部３１ａの上方に臨む略弧状に形成されている領域において、外レール２４との離間間隔は、パチンコ球１個分の幅寸法より大きく、かつ遊技球２個分の幅寸法より小さな幅寸設に設定されている。
【００２７】
(設置部材１９について)
前記設置部材１９は、前記板状部材２０の外郭形状より僅かに小さな形状に形成された略矩形状の背面板４５と、該背面板４５の外周縁部から前方に突出する画壁部４６とから前方に開口した箱状に形成されて、該画壁部４６の開口前端部を板状部材２０の裏面に当接させた状態で、当該板状部材２０と設置部材１９とがネジにより固定される。そして、設置部材１９において板状部材２０との間に画成される空間に、各種の可動演出装置７１や各種の発光装置７３等が設置されて、設置部材１９を基材とする１つのユニットとして扱い得るようになっている(図４参照)。また、前記設置部材１９の背面板４５には、前記枠状装飾部材３１の開口部３１ａと前後に整列する位置に、略矩形状の開口部１９ａが前後に開口するよう開設されると共に、該背面板４５の裏側に前記図柄表示装置１８が着脱自在に取り付けられて、該開口部１９ａを介して図柄表示装置１８の表示部が板状部材２０(遊技盤Ｍ)の前側に臨むようになっている。
【００２８】
(第１始動入賞装置３２について)
前記第１始動入賞装置３２は、第１始動入賞口３２ａを遊技領域２１内で常に上方へ開口する常時開放タイプの入賞口とされる。第１始動入賞装置３２は、前記ステージ４２と第１アウト口２９との間に配置されている。
【００２９】
(入賞ユニット４９について)
前記枠状装飾部材３１には、前記第２始動入賞装置３４および第２アウト口(第２のアウト口)５２が設けられる入賞ユニット４９が、前記第１アウト口２９より上側の右側部に設けられている。この入賞ユニット４９は、図６または図７に示す如く、枠状装飾部材３１に一体的に設けられた設置部８０と、該設置部８０の前側に着脱自在に配設される意匠部材８１とを備える。そして、設置部８０と意匠部材８１との間に、遊技領域２１(第２球流下経路２１ｂ)に開口するよう第２始動入賞口(入賞口,第１の入球口)３４ａおよび第２アウト口５２が開設されている。実施例では、設置部８０の一部が、枠状装飾部材３１を板状部材２０に取り付けるための台板部３９としての機能を有している。
【００３０】
(第２始動入賞装置３４について)
前記入賞ユニット４９に設けられる第２始動入賞装置３４は、該入賞ユニット４９に設けられた第２始動入賞口３４ａを開閉する開閉電動式の可変入賞装置とされる。すなわち、第２始動入賞装置３４は、右方向(第２球流下経路２１ｂ)に向けて上向きに開口するよう開設された第２始動入賞口３４ａを開閉可能なフラップ状の開閉部材３５と、該開閉部材３５を開閉作動する駆動手段８２とを備える。開閉部材３５は、前記設置部８０の前側において前後方向に延在する回転軸３５ａを介して回動自在に枢支されると共に、該回転軸３５ａから径方向に延在する開閉部３５ｂを備え、回転軸３５ａを中心として開閉部３５ｂが第２始動入賞口３４ａを閉鎖する閉鎖位置と開放する開放位置とに回転変位するよう構成される。実施例では、開閉部３５ｂは、回転軸３５ａからの延出端が該回転軸３５ａの略真上に位置する起立姿勢(図１０の実線位置)において第２始動入賞口３４ａを閉鎖する閉鎖位置(パチンコ球の入賞を規制する状態)となり、該起立姿勢から右方向に傾倒した傾倒姿勢(図１０の二点鎖線位置)となることで、該第２始動入賞口３４ａが第２球流下経路２１ｂ内に開口する開放位置(パチンコ球の入賞を許容する状態)となるよう設定されている。また、前記駆動手段８２は、設置部８０の裏側(開閉部材３５の後方)に配設された第１ソレノイド４７と、該設置部８０の裏側に位置して第１ソレノイド４７のプランジャ４７ａと開閉部材３５における設置部裏側に延出する回転軸３５ａを連繋する連繋部材４８とから構成され、第１ソノレイド４７の励磁、非励磁によってプランジャ４７ａおよび連繋部材４８を進退移動することで開閉部材３５が開閉作動されるよう構成される。
【００３１】
(入賞口用誘導路８４について)
前記設置部８０には、前記第２始動入賞口３４ａから左方(枠状装飾部材３１の開口部３１ａ側)に離間した位置に、該設置部８０の後方に延出する筒状の第１通路画成部８３が設けられ、該第１通路画成部８３により前後方向に所定長さで延在する前後通路８４ｂが画成される。また、設置部８０の前側に配設される意匠部材８１は、前面に所定の意匠が施された前壁８１ａの裏面に、図７に示す如く、上下方向に離間する上画壁８１ｂおよび下画壁８１ｃと、両画壁８１ｂ,８１ｃの左端を連結するように上下方向に延在する側壁８１ｄとが、各壁８１ｂ,８１ｃ,８１ｄの後端を設置部８０の前面に当接するように設けられている。そして、意匠部材８１の前壁８１ａ、上下の画壁８１ｂ,８１ｃおよび設置部８０によって、右方に開口する前記第２始動入賞口３４ａが画成されると共に、該第２始動入賞口３４ａに入賞したパチンコ球を左方に案内する左右通路８４ａが画成されるようになっている。上画壁８１ｂは、第２始動入賞口３４ａを画成する右端から左側に向かうにつれて下画壁８１ｃに近接するように形成されており、上下の画壁８１ｂ,８１ｃ、前壁８１ａおよび設置部８０により画成される左右通路８４ａは、第２始動入賞口３４ａから離間するにつれて下側に偏倚するよう画成される(図１０参照)。そして、左右通路８４ａの左端部が、前記第１通路画成部８３で画成される前後通路８４ｂの前開口に連通するよう構成されており、該左右通路８４ａおよび前後通路８４ｂから、第２始動入賞口３４ａに入賞したパチンコ球を後方へ誘導する入賞口用誘導路(誘導路)８４が構成されている。また、第１通路画成部８３における設置部８０の裏側で開口する第１裏開口８３ａ(入賞口用誘導路８４の裏開口)は、後述する球排出経路部材５４に形成された入賞球排出経路５７の一端に連通接続されており(図１６参照)、第２始動入賞口３４ａに入賞したパチンコ球は、入賞口用誘導路８４を介して入賞球排出経路５７に通出されるよう構成される。
【００３２】
なお、前記意匠部材８１の前壁８１ａにおける前後通路８４ｂと対向する位置に、右側から左側に向かうにつれて後方傾斜する第１案内片８５ａ(図７参照)が設けられ、左右通路８４ａを転動するパチンコ球を第１案内片８５ａによって前後通路８４ｂにスムーズに通入させ得るよう構成される。また、下画壁８１ｃには、前後通路８４ｂとの連通部分に対応する位置に、前側から後側に向かうにつれて下方傾斜する第２案内片８５ｂが設けられ、左右通路８４ａのパチンコ球を前後通路８４ｂにスムーズに通入させ得るよう構成される。
【００３３】
前記第１ソレノイド４７は、図７〜図９に示す如く、プランジャ４７ａの進退方向が板状部材２０の板面に沿った左右方向となる姿勢で、該プランジャ４７ａが開口部３１ａ側(第２始動入賞口３４ａから離間する側)を向くようにして配置されている。また、前記第１通路画成部８３は、前記駆動手段８２の配設位置より下方において、第１ソレノイド４７のプランジャ４７ａにおける延出端側に偏倚した下方位置を後方に向けて延出している。
【００３４】
(第２アウト口５２について)
前記入賞ユニット４９に設けられる前記第２アウト口５２は、図５,図１０に示す如く、前記第２始動入賞口３４ａの上側において、右方向(第２球流下経路２１ｂ)に向けて上向きに開口するように設けられ、該第２球流下経路２１ｂを流下するパチンコ球を回収して機裏側に通出し得るよう構成される。また、第２アウト口５２は、第２始動入賞口３４ａと同じ向きを向いており、第２球流下経路２１ｂを右側から左側に向けて略同じ向きで流下してくるパチンコ球が各口５２,３４ａに通入可能になっている。
【００３５】
(アウト口用誘導路８７について)
前記設置部８０の前面には、図６に示す如く、前記開閉部材３５の配設位置より上側に、上下に離間して左右方向に延在する上壁部８０ａおよび下壁部(壁部)８０ｂと、両壁部８０ａ,８０ｂの左端を連結するように上下方向に延在する側壁部８０ｃとが、各壁部８０ａ,８０ｂ,８０ｃの前端を意匠部材８１の前壁裏面に当接するように設けられている。そして、設置部８０、上下の壁部８０ａ,８０ｂおよび意匠部材８１の前壁８１ａによって、右方に開口する前記第２アウト口５２が画成されると共に、該第２アウト口５２に入球したパチンコ球を左方に案内する左右通路８７ａが画成されるようになっている。また、設置部８０には、第２アウト口５２から左方に離間した位置に、後方に延出する筒状の第２通路画成部８６が設けられて(図７参照)、該第２通路画成部８６により前後方向に所定長さで延在する前後通路８７ｂが画成される。そして、第２通路画成部８６で画成される前後通路８７ｂが、設置部８０、上下の壁部８０ａ,８０ｂおよび前壁８１ａにより画成される左右通路８７ａの左端部に連通するよう構成されており、該左右通路８７ａおよび前後通路８７ｂから、第２アウト口５２に入球したパチンコ球を後方へ誘導するアウト口用誘導路８７が構成される。また、第２通路画成部８６における設置部８０の裏側で開口する第２裏開口８６ａ(アウト口用誘導路８７の裏開口)は、後述する球排出経路部材５４に形成されたアウト球排出経路６０の一端に連通接続されており(図１６参照)、第２アウト口５２に入球したパチンコ球は、アウト口用誘導路８７を介してアウト球排出経路６０に通出されるよう構成される。
【００３６】
前記第２アウト口５２を画成する下壁部８０ｂは、図１０に示す如く、前記第２始動入賞口３４ａを構成する上画壁８１ｂの右端より右方に延出しており、該下壁部８０ｂによって第２アウト口５２と第２始動入賞口３４ａとが上下に仕切られて隣接するようになっている。また下壁部８０ｂは、第２アウト口５２の開口寸法より薄い板状であって、第２アウト口５２と第２始動入賞口３４ａとは、パチンコ球の直径より大きく離間しないよう構成される。すなわち、第２アウト口５２と第２始動入賞口３４ａとを、上下寸法がパチンコ球の直径より充分に薄い下壁部８０ｂを挟んで隣接させることで、第２球流下経路２１ｂ(遊技領域２１)から第２アウト口５２または第２始動入賞口３４ａにパチンコ球が通入したときに、何れの口５２,３４ａに通入したのかを明確に認識させ得ないようになっている。なお、前記下壁部８０ｂは、前記アウト口用誘導路８７を画成する底壁であって、該底壁の下面が第２始動入賞口３４ａの上縁に臨んでいる。また、前記第２始動入賞装置３４の開閉部材３５は、前記閉鎖位置において開閉部３５ｂの延出端が下壁部８０ｂの下側に位置すると共に、該開閉部３５ｂの延出端と下壁部８０ｂの下面との間の隙間は、パチンコ球の通過が不能な寸法に設定される。
【００３７】
前記第２始動入賞口３４ａおよび第２アウト口５２の前縁を画成する前記意匠部材８１の表面には、図５,図６に示す如く、第２始動入賞口３４ａの前縁を画成する部分と第２アウト口５２の前縁を画成する部分とに亘って統一的な意匠が連続して施されている。また意匠部材８１の表面は、不透明に構成されて、前側から裏側を視認不能に構成されている。すなわち、遊技者が意匠部材８１を目視した場合に、第２始動入賞口３４ａと第２アウト口５２との境界を明確に識別し得ないようになり、第２球流下経路２１ｂ(遊技領域２１)から第２アウト口５２または第２始動入賞口３４ａにパチンコ球が通入したときには、何れの口５２,３４ａに通入したのかが分かり難くなっている。更に、意匠部材８１は、第２始動入賞口３４ａに入賞したパチンコ球を誘導する前記入賞口用誘導路８４における左右通路８４ａ(側方への延在部分)の前縁、および第２アウト口５２に入球したパチンコ球を誘導する前記アウト口用誘導路８７における左右通路８７ａ(側方への延在部分)の前縁を覆っている。これにより、第２アウト口５２または第２始動入賞口３４ａに通入したパチンコ球が板状部材２０の後方に誘導されるまでの間においても、該パチンコ球が転動する様子を遊技者が認識し得ないようになっている。
【００３８】
前記第２通路画成部８６は、図７〜図９に示す如く、前記駆動手段８２の配設位置より上方において、第１ソレノイド４７のプランジャ４７ａの延出端側に偏倚した上方位置を後方に向けて延出している。すなわち、入賞ユニット４９に設けられて第２アウト口５２に入球したパチンコ球を板状部材２０の後方に誘導するアウト口用誘導路８７を画成する第２通路画成部８６と、入賞ユニット４９に設けられて第２始動入賞口３４ａに入賞したパチンコ球を板状部材２０の後方に誘導する入賞口用誘導路８４を画成する第１通路画成部８３とを上下に離間することで画成される空間部分に、前記開閉部材３５の駆動手段８２を配置して、スペースの有効利用を図り得るようになっている。
【００３９】
(発光基板８８について)
前記枠状装飾部材３１における前記入賞ユニット４９を構成する設置部８０に連設されて左方に延在する枠状基部３７の上側に、前面に複数のＬＥＤ等の発光体８８ａを実装した発光基板８８が配設されている(図６,図７参照)。該発光基板８８が配設される部位の枠状装飾部材３１は透明に形成されており、該枠状装飾部材３１の前側に配設される装飾部品４１を、該発光基板８８の発光体８８ａにより裏側から照明し得るよう構成される。この装飾部品４１は、入賞ユニット４９の意匠部材８１における前記入賞口用誘導路８４を画成している側壁８１ｄの左側に隣接して設けられており、前記発光体８８ａから装飾部品４１に向けて照射されて拡散した光が、該側壁８１ｄに照射可能に構成されている。すなわち、側壁８１ｄを光が透過可能に構成することで、装飾部品４１を照明する光を利用して、入賞口用誘導路８４における第２始動入賞口３４ａから離間する奥側から該第２始動入賞口３４ａを照明することができるようになっている。
【００４０】
(球通過ゲート３６について)
前記板状部材２０には、図３,図１０に示す如く、前記枠状装飾部材３１より右側に画成されている前記第２球流下経路２１ｂに、パチンコ球が通過可能な球通過ゲート３６が配設されている。球通過ゲート３６には、該ゲート３６をパチンコ球が通過したことを検知するゲートセンサ(図示せず)が配設される。そして、ゲートセンサが接続される図示しない制御装置は、該ゲートセンサの球検知に基づき前記第２始動入賞装置３４の開閉部材３５を開放するか否かの始動口開放抽選を行うよう構成されている。そして、始動口開放抽選に当選した場合に、制御装置は前記第２始動入賞装置３４(第１ソレノイド４７)を制御して開閉部材３５を開放するよう設定される。
【００４１】
(遊技釘群３０Ａ,３０Ｂ,３０Ｃについて)
前記遊技領域２１における第２球流下経路２１ｂには、パチンコ球の流下経路を変更することで前記第２アウト口５２へ向けてパチンコ球が流下する割合、前記第２始動入賞口３４ａへ向けてパチンコ球が流下する割合および該第２始動入賞口３４ａより下側へ向けてパチンコ球が流下する割合を調節可能な調節手段としての多数の遊技釘３０が植設されている。そして、これら遊技釘３０を調節することで、第２球流下経路２１ｂを流下するパチンコ球の流下方向を変更して、第２アウト口５２、第２始動入賞口３４ａおよび第２始動入賞口３４ａより下側への各パチンコ球の流下割合を変更し得るよう構成される。具体的には、第２球流下経路２１ｂにおける前記第２アウト口５２の側方および上方に位置する第１遊技釘群３０Ａ(図１０において一点鎖線で囲まれている遊技釘３０)を調節することにより、第２球流下経路２１ｂを流下するパチンコ球が前記第２アウト口５２に入球するか第２始動入賞口３４ａに入賞するか否かの確率を変更し得るようになっている。第１遊技釘群３０Ａは、実施例では４つの遊技釘３０で構成されており、上側の２本の遊技釘３０,３０と下側の２本の遊技釘３０,３０との間に形成されて左右方向に延在する流路は、右側から左側(第２アウト口５２から離間する側から近接する側)に向けて第２アウト口５２の開口方向(右上斜め方向)に略沿う方向に延在するよう形成されている。すなわち、第１遊技釘群３０Ａによって形成されて左右方向に延在する流路は、第２アウト口５２の開口方向と略同じ向きで開口している前記第２始動入賞口３４ａの開口向きとも略同じとなっている。また、第１遊技釘群３０Ａにおける下側の２本の遊技釘３０,３０の間の隙間３０Ａａは、パチンコ球が通過可能な寸法に設定されており、第１遊技釘群３０Ａの左右方向に延在する流路に沿って流下してくるパチンコ球が隙間３０Ａａから落下することで第２始動入賞口３４ａ側に向かい得るよう構成されている。すなわち、第１遊技釘群３０Ａで形成される左右方向の流路に沿って流下してくるパチンコ球は、第２アウト口５２および第２始動入賞口３４ａの直前で流下経路が変更されるようになっている。
【００４２】
また、前記第２球流下経路２１ｂにおける前記第２始動入賞口３４ａの側方および上方に位置する第２遊技釘群３０Ｂ(図１０において二点鎖線で囲まれている遊技釘３０)を調節することにより、第２球流下経路２１ｂを流下するパチンコ球が第２始動入賞口３４ａに入賞するか、該第２始動入賞口３４ａより下側に流下するか否かの確率を変更し得るようになっている。更に、第２球流下経路２１ｂにおける前記第２アウト口５２の上方で、かつ前記球通過ゲート３６の配設位置の上方に位置する第３遊技釘群３０Ｃ(図１０において実線で囲まれている遊技釘３０)を調節することにより、第２球流下経路２１ｂを流下するパチンコ球が第２アウト口５２および第２始動入賞口３４ａに向かう割合と、パチンコ球が第２アウト口５２および第２始動入賞口３４ａに向かうことなく該第２始動入賞口３４ａより下側に向かう割合とを変更し得るようになっている。すなわち、各遊技釘群３０Ａ,３０Ｂ,３０Ｃを調節することで、第２球流下経路２１ｂを流下するパチンコ球が、第２アウト口５２に向けて流下する割合、第２始動入賞口３４ａに向けて流下する割合および第２始動入賞口３４ａより下側に流下する割合(第２アウト口５２および第２始動入賞口３４ａの何れに向けてもパチンコ球が流下しない割合)を変更し得るようになっている。なお、第３遊技釘群３０Ｃは、球通過ゲート３６との位置関係でもパチンコ球の流下方向が変更されるので、該球通過ゲート３６も調節手段として機能している。
【００４３】
(特別入賞装置３３について)
前記枠状装飾部材３１に配設した第２始動入賞装置３４(第２始動入賞口３４ａ)より下側の遊技領域２１(第２球流下経路２１ｂ)の板状部材２０に配設された前記特別入賞装置(入球ユニット)３３は、特別入賞口(第２の入球口)３３ｅが開閉体(開閉部材)３３ａで常には閉鎖されている。そして、前記図柄表示装置１８での図柄変動の結果、図柄表示装置１８の表示部に所定の図柄組み合わせ(例えば同一図柄の三つ揃い等)で図柄が停止表示されることで所謂「大当り」が発生した場合に、前記制御装置によって開閉体３３ａを開放するよう作動制御し、これにより遊技領域２１(第２球流下経路２１ｂ)に開口した特別入賞口３３ｅへの入賞により多数の賞球を獲得し得るように構成されている。なお、特別入賞口３３ｅは、後述する球排出経路部材５４に形成された特別入賞球排出経路５８の一端に連通接続されている。また、特別入賞装置３３を構成する装置本体３３ｂには、前記特別入賞口３３ｅより下側に、遊技領域２１を流下するパチンコ球が入賞可能な普通入賞口５０が設けられており(図３,図４参照)、該普通入賞口５０は、前記球排出経路部材５４に形成された普通入賞球排出経路５９の一端に連通接続される。
【００４４】
前記特別入賞装置３３の装置本体３３ｂには、前記開閉体３３ａを開閉作動する駆動手段としての第２ソレノイド８９を収容するための空間を本体内部に画成するため、装置本体３３ｂの後壁の一部を後方に突出している。そして、装置本体３３ｂの後壁に形成された突出部分３３ｃは、装置本体３３ｂを第３装着口２８に取り付けた状態で板状部材２０の後方に突出するようになっている(図８参照)。また、装置本体３３ｂには、図１７に示す如く、前記第２ソレノイド８９の配設位置の側方(実施例では左側)において、特別入賞口３３ｅに入賞したパチンコ球を後方へ誘導する第２の誘導路を画成する通路形成部３３ｄが、前記突出部分３３ｃから後方に突出するように設けられ、該通路形成部３３ｄに下向きに開放する開口３３ｆが開設されている(図１４参照)。そして、特別入賞口３３ｅは、球排出経路部材５４の特別入賞球排出経路５８に開口３３ｆを介して連通接続されるようになっている。すなわち、特別入賞口３３ｅに入賞したパチンコ球は、通路形成部３３ｄ(第２の誘導路)によって後方に誘導された後、該通路形成部３３ｄに設けた開口３３ｆから特別入賞球排出経路５８に通入するよう構成される。なお、通路形成部３３ｄには、該通路形成部３３ｄの開口３３ｆを通出するパチンコ球(特別入賞口３３ｅに入賞したパチンコ球)を検出可能な特別入賞検出スイッチ７４が配設されている。
【００４５】
(球排出経路部材５４について)
図５に示す如く、前記設置部材１９には、前記第２始動入賞口３４ａ、特別入賞口３３ｅ、普通入賞口５０に入賞したパチンコ球(セーフ球)および第２アウト口５２に入球したパチンコ球(アウト球)を排出案内する球排出経路部材５４が配設されている。この球排出経路部材５４は、図１１,図１２に示す如く、設置部材１９にネジ止め固定される第１基体５５と、該第１基体５５に対して前側からネジ止め固定される第２基体５６とから構成され、両基体５５,５６を前後の関係で組み付けることで、第２始動入賞口３４ａに入賞したパチンコ球を排出案内する入賞球排出経路５７、特別入賞口３３ｅに入賞したパチンコ球を排出案内する特別入賞球排出経路５８、普通入賞口５０に入賞したパチンコ球を排出案内する普通入賞球排出経路５９および、第２アウト口５２に入球したパチンコ球を排出案内するアウト球排出経路６０が形成されるよう構成してある。なお、各入賞口３４ａ,３３ｅ,５０に対するパチンコ球の入賞および第２アウト口５２に対するパチンコ球の入球について、区別しない場合は通入という場合がある。
【００４６】
(入賞球排出経路５７について)
図１１,図１２に示す如く、前記球排出経路部材５４に形成される入賞球排出経路(入賞口用排出路,排出路)５７は、上下方向に延在するように形成されたものであって、前記第２基体５６に形成された入賞用開口(連通口)５６ａを介して前方に開口し、該入賞用開口５６ａから球排出経路部材５４の下端まで延在している。そして、入賞用開口５６ａが、前記入賞口用誘導路８４の第１裏開口８３ａに連通接続し、前記第２始動入賞口３４ａに入賞したパチンコ球は、入賞口用誘導路８４から入賞球排出経路５７に通入するよう構成される。球排出経路部材５４には、入賞球排出経路５７の下端で下方に向けて開口する第１排出口６１が形成され、入賞球排出経路５７を流下するパチンコ球は、第１排出口６１から機外に排出されるよう構成される。入賞球排出経路５７は、図１６に示す如く、前記入賞用開口５６ａが上端で開口する第１入賞用縦通路５７ａと、該第１入賞用縦通路５７ａの下端に連通されて後方傾斜する第２入賞用縦通路５７ｂと、該第２入賞用縦通路５７ｂの下端に連通されて下方に延在する第３入賞用縦通路５７ｃと、該第３入賞用縦通路５７ｃの下端に連通されて前方傾斜する第４入賞用縦通路５７ｄと、該第４入賞用縦通路５７ｄの下端に連通されて下方に延在して前記第１排出口６１が下端で開口する第５入賞用縦通路(排出部)５７ｅとを備える。第１入賞用縦通路５７ａ、第３入賞用縦通路５７ｃおよび第５入賞用縦通路５７ｅは前後方向に傾くことなく上下に延在すると共に、第１入賞用縦通路５７ａおよび第５入賞用縦通路５７ｅに対して第３入賞用縦通路５７ｃは後方に所定量だけ偏倚しており、第１入賞用縦通路５７ａおよび第５入賞用縦通路５７ｅを前後方向に傾斜する第２入賞用縦通路５７ｂおよび第４入賞用縦通路５７ｄを介して第３入賞用縦通路５７ｃの上下端に接続することで、該第３入賞用縦通路５７ｃの前側に後述する第２空間Ｓ２を画成するよう構成される。
【００４７】
前記入賞球排出経路５７における第１入賞用縦通路５７ａおよび第５入賞用縦通路５７ｅの形成位置に対応する球排出経路部材５４の前面は、該球排出経路部材５４を設置部材１９に取り付けた状態で、該設置部材１９の前記開口部１９ａにおける前側開口面に位置するよう構成される。そして、球排出経路部材５４を取り付けた設置部材１９を前記板状部材２０の裏側に取り付けた状態で、球排出経路部材５４における設置部材１９の前側開口面に臨む前面が、板状部材２０の裏面に近接して該板状部材２０を裏側から支持可能に構成されている(図１６参照)。また、第１入賞用縦通路５７ａおよび第２入賞用縦通路５７ｂに対して第４入賞用縦通路５７ｄおよび第５入賞用縦通路５７ｅは、右方に所定量だけ偏倚して形成されており(図１１参照)、第３入賞用縦通路５７ｃの一部を右方に傾くように形成することで、該第３入賞用縦通路５７ｃを介して第２入賞用縦通路５７ｂと第４入賞用縦通路５７ｄとが連通されている。そして、前記入賞用開口５６ａを介して前記入賞口用誘導路８４に、前記第１ソレノイド４７におけるプランジャ４７ａ側で連通接続する第１入賞用縦通路５７ａに対し、第３入賞用縦通路５７ｃの一部および第４〜第５入賞用縦通路５７ｄ,５７ｅは、第１ソレノイド４７の本体側下方に位置するようになっている。実施例では、第１入賞用縦通路５７ａおよび第５入賞用縦通路５７ｅに対して第３入賞用縦通路５７ｃは、入賞球排出経路５７の略前後幅だけ後方に偏倚すると共に、第１入賞用縦通路５７ａおよび第２入賞用縦通路５７ｂに対して第４入賞用縦通路５７ｄおよび第５入賞用縦通路５７ｅは、入賞球排出経路５７の左右幅の略半分だけ右方に偏倚している。
【００４８】
(始動入賞検出スイッチ６２の取付部について)
前記球排出経路部材５４には、入賞球排出経路５７を流下するパチンコ球(第２始動入賞口３４ａに入賞したパチンコ球)を検出可能な前記始動入賞検出スイッチ６２が配設されている。すなわち、図１１および図１２に示す如く、前記第１基体５５には、第２基体５６における入賞用開口５６ａより下方に、前方に開口する第１収容部９０が後方に向けて凹設されると共に、第２基体５６には、第１収容部９０に対向する位置に、後方に開口する第２収容部９１が前方に向けて凹設されている。そして、第１基体５５と第２基体５６とを前後に組み付けることで、第１収容部９０と第２収容部９１とで画成される空間に、前記始動入賞検出スイッチ６２が収容状態で保持されるよう構成される。始動入賞検出スイッチ６２には、パチンコ球の通過を許容する検出孔６２ａが設けられており、両収容部９０,９１で画成される空間に収容保持された状態で、該検出孔６２ａが第１入賞用縦通路５７ａに臨むようになっている。
【００４９】
前記第１基体５５における第１入賞用縦通路５７ａを画成する上壁部に、図１１に示す如く、前方に向けて突出する位置決め突部９２が設けられると共に、第２基体５６における入賞用開口５６ａを画成する上壁部に、上下および後方に開口する凹部９３が設けられており、第１基体５５と第２基体５６とを前後に組み付ける際に凹部９３に位置決め突部９２を嵌合することで、第１入賞用縦通路５７ａと入賞用開口５６ａとが精度よく連通するように位置決めされる。また、第１基体５５には、第１入賞用縦通路５７ａにおける位置決め突部９２の下面に、球案内部９４が設けられている。この球案内部９４の前面には、図１１に示す如く、位置決め突部９２の下面から下方に離間するにつれて後方傾斜する第１案内面９４ａと、該第１案内面９４ａの下端に連設されて前記第１収容部９０の形成位置まで延在する第２案内面９４ｂとが形成される。すなわち、入賞用開口５６ａから通入したパチンコ球は、第１案内面９４ａおよび第２案内面９４ｂによって始動入賞検出スイッチ６２の検出孔６２ａに向けてスムーズに案内されるようになっている。
【００５０】
ここで、前記第１収容部９０に始動入賞検出スイッチ６２の後端部を収容した状態で前記検出孔６２ａは、該検出孔６２ａを画成するスイッチ本体の壁の前後厚み分だけ第１収容部９０の後端面より前側に位置している。このため、前記第１案内面９４ａの傾斜に沿って下方に向けて案内されるパチンコ球が、前記スイッチ本体の壁の上面に当接して検出孔６２ａへのスムーズな通入が阻害されるおそれがある。そこで、実施例では、前記第２案内面９４ｂの上部を、スイッチ本体の壁の上方に僅か(検出孔６２ａの上方には臨まない位置)に突出させると共に、下部を後方傾斜させている。これにより、第１案内面９４ａの傾斜に沿って下方に向けて案内されるパチンコ球が第２案内面９４ｂの上部側に接触することで、該パチンコ球がスイッチ本体の壁の上面に当接することなく確実に検出孔６２ａに通入し得るようになっている。
【００５１】
(アウト球排出経路６０について)
図１１,図１２に示す如く、前記球排出経路部材５４に形成されるアウト球排出経路(アウト口用排出路)６０は、前記第１基体５５に形成されたアウト用開口５５ａを介して前方に開口し、該アウト用開口５５ａが、前記アウト口用誘導路８７の第２裏開口８６ａに連通接続し、前記第２アウト口５２に入球したパチンコ球は、アウト口用誘導路８７からアウト球排出経路６０に通入するよう構成される(図１６参照)。アウト球排出経路６０は、アウト用開口５５ａから右側方に向けて横方向に延在するアウト用横通路６０ａと、該アウト用横通路６０ａの右端に連通接続して下方に延在するアウト用縦通路９５とを備える。アウト用縦通路９５は、アウト用横通路６０ａの右端に連通して後方傾斜する第１アウト用縦通路９５ａと、該第１アウト用縦通路９５ａの下端に連通されて下方に延在する第２アウト用縦通路９５ｂと、該第２アウト用縦通路９５ｂの下端に連通されて後方傾斜する第３アウト用縦通路９５ｃと、該第３アウト用縦通路９５ｃの下端に連通されて下方に延在する第４アウト用縦通路９５ｄと、該第４アウト用縦通路９５ｄの下端に連通されて前方傾斜する第５アウト用縦通路９５ｅと、該第５アウト用縦通路９５ｅの下端に連通されて下方に延在する第６アウト用縦通路９５ｆとから構成されて、該第６アウト用縦通路９５ｆが前記第５入賞用縦通路５７ｅの途中に連通接続されている。第２アウト用縦通路９５ｂ、第４アウト用縦通路９５ｄおよび第６アウト用縦通路９５ｆは、前後方向に傾くことなく上下に延在すると共に、第２アウト用縦通路９５ｂは、前記アウト用横通路６０ａに対して後方に所定量だけ偏倚している。また、第２アウト用縦通路９５ｂに対して第４アウト用縦通路９５ｄが後方に所定量だけ偏倚して、該第４アウト用縦通路９５ｄが前後方向の位置が揃った並列状態で前記第３入賞用縦通路５７ｃに対して並列状態で延在している。更に、第５アウト用縦通路９５ｅおよび第６アウト用縦通路９５ｆが、対応する前記第４入賞用縦通路５７ｄおよび第５入賞用縦通路５７ｅに対して前後方向の位置が揃った並列状態で延在するよう構成される。すなわち、第３入賞用縦通路５７ｃと並列に延在する第４アウト用縦通路９５ｄの前側に、後述する第２空間Ｓ２が画成されるようになっている。
【００５２】
前記アウト用横通路６０ａは、前記開閉部材３５の駆動手段８２(第１ソレノイド４７および連繋部材４８)の上方を該駆動手段８２と上下に重なるように横方向に延在すると共に、第１アウト用縦通路９５ａおよび第２アウト用縦通路９５ｂは、該ソレノイド４７(駆動手段８２)の右方(プランジャ４７ａの延出側とは反対側の側方)を縦方向に延在するよう構成されている(図９参照)。また、第１ソレノイド４７(駆動手段８２)の右方に位置する第２アウト用縦通路９５ｂに対し、前記第３入賞用縦通路５７ｃと並列状態で位置する第４アウト用縦通路９５ｄは左方に偏倚して第１ソレノイド４７(駆動手段８２)の下方に延在しており、第２アウト用縦通路９５ｂの下部および第３アウト用縦通路９５ｃは、下方に向かうにつれて左方に傾斜するよう構成される。すなわち、前記枠状装飾部材３１の入賞ユニット４９に形成した第２始動入賞口３４ａの上側に位置する第２アウト口５２に入球したパチンコ球を排出するアウト球排出経路６０は、該第２始動入賞口３４ａを開閉作動するための駆動手段８２を迂回するように延在した後に、第２始動入賞口３４ａに入賞したパチンコ球を排出する入賞球排出経路５７に連通するよう構成される。従って、実施例の球排出経路部材５４では、第２始動入賞口３４ａに入賞したパチンコ球および第２アウト口５２に入球したパチンコ球は、球排出経路部材５４の下端部で集合して前記第１排出口６１から排出される。なお、第３〜第５入賞用縦通路５７ｃ〜５７ｅおよび第４〜第６アウト用縦通路９５ｄ〜９５ｆの内部には、上下方向に離間して複数の突起６３が設けられ、該突起６３にパチンコ球が接触することで流下速度を緩和するようにしてある。
【００５３】
前記球排出経路部材５４には、前記アウト球排出経路６０におけるアウト用横通路６０ａおよび第１〜第３アウト用縦通路９５ａ〜９５ｃにより囲まれた部分に、前方に開口する収容凹部６４が画成され、該収容凹部６４に、前記駆動手段８２が収容されるよう構成される(図１６参照)。すなわち、アウト用横通路６０ａおよび第１〜第３アウト用縦通路９５ａ〜９５ｃは、駆動手段８２に対して上下方向および左右方向で重なるように形成されて、該駆動手段８２や球排出経路部材５４を配設するために板状部材２０の後方に必要となる設置スペースを小さくし得るようになっている。なお、前記第１基体５５には、収容凹部６４の後面を画成する部分に複数の放熱孔６４ａが形成されており、該収容凹部６４に収容された第１ソレノイド４７が発する熱を該放熱孔６４ａから放熱し得るよう構成される。
【００５４】
(特別入賞球排出経路５８について)
前記球排出経路部材５４には、図１１に示す如く、前記入賞球排出経路５７の左側に隣接して特別入賞球排出経路(第２の排出路)５８が上下方向に延在するよう形成されている。具体的には、第４入賞用縦通路５７ｄの途中から第５入賞用縦通路５７ｅの下端までの間に亘って、該縦通路５７ｄ,５７ｅの左側に隣接して特別入賞球排出経路５８が延在している。球排出経路部材５４には、特別入賞球排出経路５８の上端で上方に向けて開口する特別用開口６５が形成されている。そして、球排出経路部材５４を配設した設置部材１９を板状部材２０の裏側に組み付けた状態で、図１４に示す如く、前記特別入賞装置３３の通路形成部３３ｄが特別用開口６５の上側に臨んで、該通路形成部３３ｄに開設した開口３３ｆが特別用開口６５に連通するよう構成される。すなわち、特別入賞球排出経路５８は、特別用開口６５および開口３３ｆを介して前記特別入賞装置３３の特別入賞口３３ｅに連通接続される。
【００５５】
前記球排出経路部材５４には、特別入賞球排出経路５８の下端で下方に向けて開口する第２排出口６６が前記第１排出口６１の左側に隣接して形成されており、特別入賞口３３ｅに入賞したパチンコ球は、第２排出口６６から機外に排出されるよう構成される。なお、特別入賞球排出経路５８の内部には、上下方向に離間して複数の突起６３が設けられ、該突起６３にパチンコ球が接触することで流下速度を緩和するようにしてある。また、前記第５入賞用縦通路５７ｅの左右両側に位置する特別入賞球排出経路５８および第６アウト球用縦通路９５ｆの形成位置に対応する球排出経路部材５４の前面は、第５入賞用縦通路５７ｅの形成位置に対応する球排出経路部材５４の前面と同様に前記開口部１９ａにおける前側開口面に位置しており、球排出経路部材５４を取り付けた設置部材１９を前記板状部材２０の裏側に取り付けた状態で、球排出経路部材５４における設置部材１９の前側開口面に臨む前面が、左右方向に３つの通路幅で板状部材２０の裏面に近接して該板状部材２０を裏側から支持可能になっている。
【００５６】
(普通入賞球排出経路５９について)
前記球排出経路部材５４には、図１１に示す如く、前記特別入賞球排出経路５８の左側に隣接して普通入賞球排出経路５９が上下方向に延在するよう形成されている。球排出経路部材５４には、普通入賞球排出経路５９の上部で前方に向けて開口する普通用開口６７が形成されており、該普通入賞球排出経路５９は、普通用開口６７を介して前記普通入賞口５０に連通接続される。また球排出経路部材５４には、普通入賞球排出経路５９の下端で下方に向けて開口する第３排出口６８が前記第２排出口６６の左側に隣接して形成されており、普通入賞口５０に入賞したパチンコ球は、第３排出口６８から機外に排出されるよう構成される。すなわち、球排出経路部材５４には、左右方向に並んで３つの排出口６１,６６,６８が形成されている。なお、球排出経路部材５４には、普通入賞球排出経路５９を流下するパチンコ球(普通入賞口５０に入賞したパチンコ球)を検出可能な普通入賞検出スイッチ６９が配設されている。
【００５７】
(空間Ｓ１,Ｓ２について)
前記球排出経路部材５４を前記設置部材１９の背面板４５の前側に配設した状態で、前記アウト球排出経路６０におけるアウト用横通路６０ａ、第１〜第２アウト用縦通路９５ａ〜９５ｂおよび入賞球排出経路５７における第１入賞用縦通路５７ａの形成部の裏面と、背面板４５の前面との間に上方および左側方(開口部１９ａの中央側)に開放する第１空間Ｓ１が画成される(図１４〜図１６参照)。そして、背面板４５に配設した後述する可動体７０が、該第１空間Ｓ１内を移動可能に構成されている。また、設置部材１９を板状部材２０の裏側に配設した状態で、前記アウト球排出経路６０における第４アウト用縦通路９５ｄおよび入賞球排出経路５７における第３入賞用縦通路５７ｃの形成部の前面と板状部材２０の裏面との間に第２空間Ｓ２が画成され、該第２空間Ｓ２に前記特別入賞装置３３における板状部材２０の裏面から後方に突出する前記突出部分３３ｃが収容されるよう構成される(図１６,図１７参照)。なお、実施例の球排出経路部材５４では、第４アウト用縦通路９５ｄおよび第３入賞用縦通路５７ｃを他の通路に対して後方に偏倚してアウト球排出経路６０および入賞球排出経路５７を部分的に後方に向けて凹むように折曲形成することで、前記第２空間Ｓ２を画成している。
【００５８】
また、前記球排出経路部材５４における前記第２空間Ｓ２を画成している部分において、後側から前側に向けて傾斜する第４入賞用縦通路５７ｄおよび第５アウト用縦通路９５ｅは、前記特別入賞装置３３の突出部分３３ｃから後方に突出している前記通路形成部３３ｄの右側方に一部が左右方向で重なるようにして延在している(図１７参照)。すなわち、球排出経路部材５４における入賞球排出経路５７およびアウト球排出経路６０を、特別入賞装置３３の通路形成部３３ｄに対して前後に重ならない位置に延在させることで、前後スペースをより小さくし得るよう構成される。
【００５９】
ここで、前記入賞球排出経路５７は、図１６に示す如く、特別入賞装置３３の上方に臨む第１入賞用縦通路５７ａにおいて前方に開口して前記入賞口用誘導路８４の第１裏開口８３ａに連通する前記入賞用開口(連通口)５６ａは、特別入賞装置３３の突出部分３３ｃの後端より前側に偏倚すると共に、特別入賞装置３３の下方に臨む第５入賞用縦通路５７ｅに画成される第１排出口(排出口)６１の一部は、特別入賞装置３３の突出部分３３ｃの後端に対して前側に偏倚している(第５入賞用縦通路５７ｅの前面は特別入賞装置３３の突出部分３３ｃの後端より前側に偏倚している)。すなわち、入賞球排出経路５７は、特別入賞装置３３の上方前側から第２入賞用縦通路５７ｂが後方傾斜して突出部分３３ｃとの干渉を回避した後、第３入賞用縦通路５７ｃが突出部分３３ｃの後方に重なる位置を下方向に延在し、更に第４入賞用縦通路５７ｄが特別入賞装置３３の後方から下方前側に向けて前方傾斜するよう延在することで、入賞球排出経路５７が特別入賞装置３３に干渉することなく入賞口用誘導路８４との連通口である入賞用開口５６ａやパチンコ球を排出する第１排出口６１が画成される第５入賞用縦通路５７ｅを板状部材２０の裏面に近接位置させ得るよう構成される。言い替えるなら、入賞球排出経路５７における前後方向に傾斜する第２入賞用縦通路５７ｂの上方および第４入賞用縦通路５７ｄの下方には、前記設置部材１９の背面板４５との間に大きな空間を画成し得るようになっている。
【００６０】
(可動演出装置７１について)
前記設置部材１９には、前記第２球流下経路２１ｂの裏側に臨む部分に、左右方向に往復移動自在な可動体７０を備えた可動演出装置７１が配設されており、前記図柄表示装置１８で行われる図柄変動演出に合わせて可動体７０を作動させることで、遊技の興趣を向上するよう構成してある。可動体７０は、前記背面板４５における開口部１９ａの下端縁より上側に延在して、該背面板４５の前面に沿って左右方向に直線的に往復移動可能に支持されている。また可動演出装置７１は、図１３に示す如く、前記背面板４５における開口部１９ａの下端縁より下方に配設されて可動体７０に連繋した駆動手段７２を備え、該駆動手段７２によって可動体７０は、前記枠状装飾部材３１の開口部３１ａに臨んで前側に露出する作動位置と、開口部３１ａの中央側から作動位置より離れて枠状装飾部材３１および板状部材２０の裏側に隠れる待機位置との間を往復移動するよう構成される。そして、可動体７０は、図１４,図１５に示す如く、待機位置において背面板４５と球排出経路部材５４との間に画成される前記第１空間Ｓ１に下端部が収容されるようになっている。
【００６１】
前記駆動手段７２は、図１３に示す如く、機構カバー９６の内部に収容されたラック・ピニオン等からなる作動機構９７と、該機構カバー９６の前側に突出するように配設されて作動機構９７を作動する駆動モータ９８とを備え、駆動モータ９８を駆動して作動機構９７を作動することで、前記可動体７０が作動位置と待機位置と間を移動するよう構成される。前記機構カバー９６の前面は、図１４、図１６、図１７に示す如く、前記球排出経路部材５４における第３入賞用縦通路５７ｃおよび第４アウト用縦通路９５ｄの後面に近接して対向しており、該機構カバー９６によって球排出経路部材５４(第３入賞用縦通路５７ｃおよび第４アウト用縦通路９５ｄ)が後方へ撓むのを防止し得るよう構成される。これに対し、前記機構カバー９６の前側に配設される駆動モータ９８は、図１３に示す如く、球排出経路部材５４における第３アウト用縦通路９５ｃの下方で第４アウト用縦通路９５ｄの右側方において左右方向に重なるように位置している。すなわち、アウト球排出経路６０を左右方向に折曲することで画成した空間に駆動モータ９８を位置させることで、機構カバー９６の前面を利用して排出経路部材５４を支持させ得るようになっている。
【００６２】
(磁気センサ９９について)
図１１および図１３に示す如く、前記球排出経路部材５４の上部右側に、磁気センサ９９を着脱自在に取り付けるためのセンサ設置部１００が一体的に設けられている。このセンサ設置部１００には、固定手段としての皿ビス１０１を介して磁気センサ９９が位置決め固定されるよう構成されており、球排出経路部材５４を取り付けた設置部材１９を板状部材２０の裏側に取り付けた状態で、磁気センサ９９が板状部材２０の裏面に近接位置して、前記前枠１３の透視保護板１３ｂに磁石が近づけられたときに、該磁石の磁気を磁気センサ９９で検出し得るよう構成される。なお、磁気センサ９９は、前記制御装置に電気的に接続されて、該磁気センサ９９が磁気を検出した際に、制御装置が警報を発するようにスピーカを制御したり、打球発射装置１６の作動を停止制御するよう構成される。
【００６３】
前記設置部材１９の右側の画壁部４６に、内側に向けて所定幅で突出する支持段部１０２が上下方向に延在するように設けられており(図１３参照)、前記センサ設置部１００の裏面を該支持段部１０２の前側に当接した状態で、該センサ設置部１００を支持段部１０２にネジ止めすることで、球排出経路部材５４の上部側が設置部材１９に対して位置決め固定されるよう構成される。
【００６４】
(発光装置７３について)
前記球排出経路部材５４の上端部には、待機位置に位置する可動体７０の前方に臨む発光装置７３が配設されている。発光装置７３は、待機位置に位置する可動体７０と前記枠状装飾部材３１の装飾部品４１との間に臨んでおり(図１５参照)、該発光装置７３に設けたＬＥＤ等の発光体を点灯することで、装飾部品４１を裏側から照らして明輝させ得るよう構成される。なお、発光装置７３は、図１３または図１５に示す如く、前記アウト用横通路６０ａの上方に延在するよう配設されると共に、該発光装置７３の裏面はアウト用横通路６０ａの裏面から後方に突出しないよう構成される。また発光装置７３は、前記設置部材１９の支持段部１０２にネジ止め固定されており、該発光装置７３が球排出経路部材５４を設置部材１９に固定するための部材としても機能している。なお、発光装置７３とセンサ設置部１００もネジ止め固定されている。
【００６５】
前記発光装置７３には、前記球排出経路部材５４におけるアウト用開口５５ａの上方に近接する位置に位置決め部１０３が設けられ、前記枠状装飾部材３１に設けた被位置決め部１０４を該位置決め部１０３に係合することで(図１５参照)、発光装置７３に対して枠状装飾部材３１が位置決めされるよう構成される。被位置決め部１０４は、枠状装飾部材３１に設けられている前記入賞ユニット４９におけるアウト口用誘導路８７の第２裏開口８６ａに近接する位置に設けられており(図７参照)、位置決め部１０３と被位置決め部１０４とを係合することで、第２裏開口８６ａとアウト用開口５５ａとが前後方向に整合するように位置決めされて、アウト口用誘導路８７から前記アウト球排出経路６０へのパチンコ球のスムーズな通入を図り得るようになっている。
【００６６】
(遊技状態について)
ここで、実施例のパチンコ機１０では、遊技が行われる遊技状態として３つの状態が設定されている。すなわち、パチンコ機１０において通常行われる通常状態と、該通常状態に較べて大当りの発生確率が高く、かつ前記第２始動入賞装置３４の第２始動入賞口３４ａへの入賞確率が高く設定された確率変動状態と、通常状態に較べて大当りの発生確率が同等で、かつ第２始動入賞装置３４の第２始動入賞口３４ａへの入賞確率が高く設定された入賞率向上状態が設定されている。そして、前記第１始動入賞口３２ａまたは第２始動入賞口３４ａへパチンコ球が入賞した際に、前記遊技状態を変更するか否かが前記制御装置で決定される。
【００６７】
また、前述したように、前記球通過ゲート３６をパチンコ球が通過したことをゲートセンサが検知したことを契機として始動口開放抽選が行われ、該始動口開放抽選の結果が当選の場合に、第２始動入賞口３４ａを開放するよう第２始動入賞装置３４が駆動制御される。すなわち、実施例のパチンコ機１０では、前記球通過ゲート３６のゲートセンサがパチンコ球を検知して行われる始動口開放抽選の結果が当選となることが、前記第２始動入賞装置３４の第２始動入賞口３４ａを開放する開放条件とされている。
【００６８】
そして、前記第２始動入賞口３４ａを開放してから所定の閉鎖条件が成立することで、該第２始動入賞口３４ａが閉鎖されるようになっている。ここで、前記第２始動入賞口３４ａを閉鎖する閉鎖条件としては、例えば前記開閉部材３５が開放位置(入賞許容位置)に移動してからの経過時間(第２始動入賞口３４ａの開放時間)や、第２始動入賞口３４ａへの設定数のパチンコ球の入賞等が挙げられるが、これに限られるものではない。すなわち、パチンコ機１０において入賞口を開閉する開閉式の始動入賞装置に採用される開閉部材３５の開放条件および閉鎖条件に従って第２始動入賞装置３４が駆動制御される。
【００６９】
(特定条件について)
また、実施例のパチンコ機１０では、前記第２始動入賞装置３４の第２始動入賞口３４ａを開放する開放条件および該第２始動入賞口３４ａを閉鎖する閉鎖条件は、遊技状態に応じて設定されている。すなわち、遊技状態が前記確率変動状態および入賞率向上状態の場合には、遊技状態が通常状態の場合に較べて、前記第２始動入賞装置３４の第２始動入賞口３４ａが開放され易くなるよう前記開放条件や閉鎖条件が設定されて、第２始動入賞口３４ａへの入賞率を高くするよう構成されている。具体的には、実施例では、遊技状態が前記確率変動状態および入賞率向上状態の場合には、遊技状態が通常状態の場合に較べて、前記始動口開放抽選の結果が確定するまでの時間が短くなるよう設定されると共に、第２始動入賞口３４ａの１回の開放毎の開放時間を長く設定することで、確率変動状態および入賞率向上状態における第２始動入賞口３４ａへの入賞確率を高くしている。例えば、遊技状態が通常状態の場合には、始動口開放抽選の結果が確定するまでの時間が略３０秒で、かつ第２始動入賞口３４ａの開放時間が０．１秒／１回に設定されるのに対し、遊技状態が確率変動状態および入賞率向上状態の場合には、始動口開放抽選の結果が確定するまでの時間が略２秒で、かつ第２始動入賞口３４ａの開放時間が２秒／１回に設定されている。
【００７０】
そして、前記特別入賞装置３３および第２始動入賞装置３４の夫々を、前記板状部材２０の右側部に配置したことで、パチンコ球が第１球流下経路２１ａを流下する場合に較べて、前記第２球流下経路２１ｂを流下する場合の方が、各入賞装置３３,３４に入賞し易くなっている。従って、実施例のパチンコ機１０は、特定の条件が成立した場合(大当り状態、遊技状態が確率変動状態または入賞率向上状態となった場合)に、パチンコ球を第２球流下経路２１ｂへ打ち出す「右打ち(ゴム打ち)」を実施し、特定条件が不成立の場合には、パチンコ球を第１球流下経路２１ａへ打ち出す「左打ち」を実施することで、所定の遊技が行われるよう構成されている。このように、遊技者が遊技状態(特定条件の成立・不成立)に応じて前記操作ハンドル１７を操作してパチンコ球の打ち出し位置を変更するよう構成することで、遊技者に能動的な遊技参加を促し、遊技の興趣を高めるようになっている。すなわち、実施例において特定条件の成立とは、パチンコ球を第２球流下経路２１ｂへ打ち出す「右打ち(ゴム打ち)」を実施するのに適した条件の成立をいうものである。
【００７１】
(実施例の作用)
次に、前述のように構成された実施例に係るパチンコ機１０の作用につき説明する。
【００７２】
前記前枠１３の前面側に設けられた前記操作ハンドル１７の操作レバー１７ａを遊技者が回転操作すると、前記打球発射装置１６から発射されたパチンコ球が前記板状部材２０に設けた案内レール２３により画成された発射通路２３ａを通って打出し口２３ｂから遊技領域２１内に打ち出される。このとき、前記操作レバー１７ａの回動量に応じてパチンコ球の打ち出し位置が変化し、打ち出し位置に応じて遊技領域２１の第１球流下経路２１ａまたは第２球流下経路２１ｂをパチンコ球が流下する。前記特定条件が成立していない状態(大当り状態、確率変動状態、入賞率向上状態となっていない状態)では、第１球流下経路２１ａを流下する「左打ち」となるようパチンコ球が打ち出されて、前記第１始動入賞装置３２にパチンコ球が入賞すると、前記制御装置の制御に基づいて前記図柄表示装置１８での図柄変動演出が開始され、図柄変動演出の結果、図柄表示装置１８に所定の図柄組み合わせが表示されると大当りが発生する。大当りが発生すると、図柄表示装置１８に表示された図柄組み合わせに応じて、前記板状部材２０の右方(第２球流下経路２１ｂ)に設けられた特別入賞装置３３が開放されると共に、前記制御装置の制御に基づいて図柄表示装置１８において大当り演出が行われる。なお、第１始動入賞口３２ａに入賞することなく遊技領域２１の最下部まで流下したパチンコ球は、前記第１アウト口２９に入球して機裏側に回収される。
【００７３】
実施例に係るパチンコ機１０では、特定条件が成立する前記大当りの発生や、確率変動状態や入賞率向上状態へ移行した際に、遊技者は操作レバー１７ａの回動量を調節してパチンコ球を第２球流下経路２１ｂに向けて打ち出す右打ちを行う。すなわち、遊技者は打球発射装置１６の打球力を強めるように操作レバー１７ａを右回転させるので、前記打出し口２３ｂから打ち出されたパチンコ球は、前記外レール２４に沿って枠状装飾部材３１の右側に打ち込まれる。
【００７４】
遊技者は右打ちを行う場合、前記球通過ゲート３６にパチンコ球が多数通過することで、始動口開放抽選が数多く行われることを期待し、該始動口開放抽選が当選して前記開閉部材３５が作動することで第２始動入賞口３４ａが開放した場合は、該第２始動入賞口３４ａに多数のパチンコ球が入賞することを期待する。この場合において、実施例のパチンコ機１０では、前述したように枠状装飾部材３１に配設した第２始動入賞装置３４の上側に、パチンコ球を機裏側に回収する第２アウト口５２が設けられている。従って、第２始動入賞口３４ａが開放した状態では、パチンコ球が第２始動入賞口３４ａに入るのか第２アウト口５２に入るのかに遊技者の関心を惹きつけることができ、緊張感を持って遊技を行わせることができる。
【００７５】
すなわち、前記第２始動入賞口３４ａを開閉する開閉部材３５を開放作動した状態であっても、第２球流下経路２１ｂを流下するパチンコ球が第２アウト口５２に入球する可能性があり、適正な出球率を確保することが可能となる。言い替えれば、前記枠状装飾部材３１の右側に形成される第２球流下経路２１ｂが狭くなっても適正な出球率を確保し得るので、図柄表示装置１８や枠状装飾部材３１の大型化が可能で、図柄変動演出の多様化やインパクトを高め、遊技の面白みを増大させることができる。また、実施例では、第２アウト口５２に隣接して設けた第２始動入賞口３４ａは、開閉部材３５により開閉される可変入賞タイプであるので、前記球通過ゲート３６へのパチンコ球の通過数や始動口開放抽選の当選確率の設定によっても、第２始動入賞口３４ａへの入球率を変えることができる。
【００７６】
ここで、前記第２アウト口５２が設けられていないパチンコ機１０では、第２始動入賞口３４ａが開放した状態において、該第２始動入賞口３４ａの入賞確率(入球確率)を調節する場合は、第２球流下経路２１ｂに植設した遊技釘３０を調節して第２始動入賞口３４ａへ向かうパチンコ球の割合と、該第２始動入賞口３４ａより下側に向かうパチンコ球の割合とを調節することになる。この場合に、第２始動入賞口３４ａの入賞確率(入球確率)を低く抑えようとすると、必然的に第２始動入賞口３４ａに向かうパチンコ球の数が少なくなり、第２始動入賞口３４ａへの入賞を期待して遊技を行っている遊技者の興趣を低下させてしまう。これに対し、実施例のように第２始動入賞口３４ａに隣接して第２アウト口５２を設けたパチンコ機１０においては、第２アウト口５２および第２始動入賞口３４ａに向けて流下するパチンコ球の数を、第２始動入賞口３４ａより下側へ流下するパチンコ球の数より多くしても、第２アウト口５２の存在によって第２始動入賞口３４ａの入賞確率(入球確率)を低く抑えることができる。すなわち、第２始動入賞口３４ａより下側へ流下するパチンコ球の数より、第２始動入賞口３４ａの入賞可能性のある第２アウト口５２および第２始動入賞口３４ａに向けて流下させるパチンコ球の数を多くすることで、遊技者の興趣の低下を抑えることができる。また、枠状装飾部材２１における第２球流下経路２１ｂに開口する第２アウト口５２と第２始動入賞口３４ａとを上下に隣接して設けているので、該第２球流下経路２１ｂに植設されている遊技釘３０(第１〜第３遊技釘群３０Ａ,３０Ｂ,３０Ｃ)の調節により、第２アウト口５２および第２始動入賞口３４ａの入球確率を簡単に調節することができる。
【００７７】
また、前述したように、前記第１遊技釘群３０Ａによって形成されて左右方向に延在する流路は、第２アウト口５２および第２始動入賞口３４ａの開口方向と略同じ向きで開口しているので、第１遊技釘群３０Ａの左右方向に延在する流路に沿って流下してくるパチンコ球が第２アウト口５２および第２始動入賞口３４ａの何れに向かって流れてくるのかが分からず、該パチンコ球の動きに対する関係を高めることができる。しかも、第１遊技釘群３０Ａで形成される左右方向の流路に沿って流下してくるパチンコ球は、第２アウト口５２および第２始動入賞口３４ａの直前で流下経路が変更されるので、該パチンコ球の動きに対する遊技者の関心を第２アウト口５２および第２始動入賞口３４ａの直前に至るまで惹きつけることができる。
【００７８】
更に、前記第２アウト口５２と第２始動入賞口３４ａとは、パチンコ球の直径より充分に小さい間隔で上下に隣接しているので、第２始動入賞口３４ａが開放した状態では、第２球流下経路２１ｂを流下するパチンコ球が第２アウト口５２の直前に至るまで、何れの口５２,３４ａに通入するのか分からず、該パチンコ球の動きに対する遊技者の関心を第２アウト口５２の直前に至るまで惹きつけることができるから、遊技の興趣を向上させ得る。すなわち、前記第２球流下経路２１ｂを流下するパチンコ球の動きに対する興味を長びかせて、遊技の興趣を向上することができる。
【００７９】
ここで、前記第２アウト口５２および第２始動入賞口３４ａの前側および各口５２,３４ａに通入したパチンコ球を左方に案内する誘導路８４,８７の前側を、共通の意匠部材８１で覆って、第２アウト口５２と第２始動入賞口３４ａとの境界を分かり難くしている。従って、第２始動入賞口３４ａが開放した状態であっても、第２球流下経路２１ｂを流下するパチンコ球が第２アウト口５２に入球したのか、または第２始動入賞口３４ａに入賞したのかが分かり難く、遊技の興趣を高めることができる。すなわち、パチンコ球が第２アウト口５２に入球したと誤認した場合に、実際には第２始動入賞口３４ａに入賞して賞球が得られたときには、遊技者の喜びが増幅される。
【００８０】
また、前記第２アウト口５２および第２始動入賞口３４ａは、開口向きが略同じに設定されているので、第２球流下経路２１ｂを流下するパチンコ球が、第２アウト口５２および第２始動入賞口３４ａの開口向きに沿う方向で右側から左側へ流下して意匠部材８１の裏側に移動して見えなくなった場合は、該パチンコ球が第２アウト口５２に入球したのか第２始動入賞口３４ａに入賞したのかが分かり難い。すなわち、第２球流下経路２１ｂを流下してくるパチンコ球の向きによって、第２アウト口５２および第２始動入賞口３４ａの何れに通入したのかを認識するのが難しくなっているので、何れの口５２,３４ａに通入したのかに対する関心を高めることができ、興趣を向上し得る。
【００８１】
前記第２始動入賞口３４ａ、特別入賞口３３ｅおよび普通入賞口５０に入賞したパチンコ球は、前記設置部材１９に配設された球排出経路部材５４に形成された各排出経路５７,５８,５９を介して機外に排出される。また、第２アウト口５２に入球したパチンコ球は、球排出経路部材５４に形成されたアウト球排出経路６０を介して機外に排出される。すなわち、第２始動入賞口３４ａ、特別入賞口３３ｅ、普通入賞口５０および第２アウト口５２に通入したパチンコ球を機外に排出する各排出経路５７,５８,５９,６０を、１つの球排出経路部材５４に纏めて形成したので、複数の排出経路５７,５８,５９,６０を備えた球排出経路部材５４を１つのユニットとして扱うことができ、設置部材１９に対する組み付けや取り外しが容易となる。
【００８２】
実施例のパチンコ機１０では、図７〜図９に示す如く、前記入賞ユニット４９に設けられて第２アウト口５２に入球したパチンコ球を板状部材２０の後方に誘導するアウト口用誘導路８７を画成する第２通路画成部８６と、入賞ユニット４９に設けられて第２始動入賞口３４ａに入賞したパチンコ球を板状部材２０の後方に誘導する入賞口用誘導路８４を画成する第１通路画成部８３とを上下に離間するように設けている。そして、両通路画成部８３,８６の間に画成される空間部分に、前記開閉部材３５の駆動手段８２を配置することで、スペースの有効利用を図り得るようになっている。なお、第１通路画成部８３および第２通路画成部８６を上下に離間するように設けていても、前記入賞口用誘導路８４を構成する左右通路８４ａを第２通路画成部８６側から第２始動入賞口３４ａ側に向けて上方傾斜(第２始動入賞口３４ａに向けて通路の上下幅を拡開)させているので、該第２始動入賞口３４ａを第２アウト口５２の下側に隣接して設けることができる。
【００８３】
前記第２始動入賞口３４ａの上側に形成される第２アウト口５２に入球したパチンコ球を機外に排出するアウト球排出経路６０を、該第２始動入賞口３４ａを開閉する開閉部材３５を作動するための駆動手段８２(ソレノイド４７,連繋部材４８)の上方および側方に迂回するように延在させたので、該駆動手段８２(ソレノイド４７,連繋部材４８)の後方にアウト球排出経路６０が延在するように形成する場合に比べて板状部材２０の後方に必要となる設置スペースを小さくすることができる。すなわち、アウト球排出経路６０を配設するために必要な前後寸法を小さくして、該アウト球排出経路６０を前後方向においてコンパクトに纏めることができ、省スペース化を図り得る。
【００８４】
また、前記アウト球排出経路６０は、駆動手段８２(ソレノイド４７,連繋部材４８)の側方を迂回させた第１アウト用縦通路９５ａおよび第２アウト用縦通路９５ｂを、該駆動手段８２(ソレノイド４７,連繋部材４８)の下方において前記第２始動入賞口３４ａに入賞したパチンコ球を排出する入賞球排出経路５７の第３〜第５入賞用縦通路５７ｃ〜５７ｅに隣接して並列に延在させた第４〜第６アウト用縦通路９５ｄ〜９５ｆに、駆動手段８２(ソレノイド４７,連繋部材４８)の下方に向けて斜めに延在させた第３アウト用縦通路９５ｃで接続している。すなわち、駆動手段８２(ソレノイド４７,連繋部材４８)の下方においては、球排出経路部材５４は２つの通路分の幅で下方に延在しているので、該球排出経路部材５４を配設する左右方向のスペースをコンパクトにすることができる。また、前記ソレノイド４７は、図７〜図９に示す如く、プランジャ４７ａの進退方向が板状部材２０の板面に沿った左右方向となる姿勢で配置されているので、ソレノイド４７の板状部材後方への突出寸法を抑えることができる。
【００８５】
前記球排出経路部材５４は、前記板状部材２０に配設された特別入賞装置３３における板状部材２０の後方への突出部分３３ｃを避けるように後方に折曲することで、板状部材２０との間に第２空間Ｓ２を画成し、該第２空間Ｓ２に特別入賞装置３３の突出部分３３ｃを収容している(図１４,図１６参照)。すなわち、第２始動入賞口３４ａの下方に位置する特別入賞装置３３の突出部分３３ｃとの干渉を避けるために前記入賞球排出経路５７とアウト球排出経路６０とを左右方向に離間して設ける必要はなく、特別入賞装置３３の配設位置において左右方向に大きなスペースを必要としない。これにより、左右方向のスペースの有効利用を図り得る。すなわち、特別入賞装置３３の突出部分３３ｃの側方に遊技部品の設置スペースを確保することができ、設置部材１９に対して配設し得る遊技部品の設計の自由度を向上し得る。
【００８６】
前記特別入賞装置３３の突出部分３３ｃとの干渉を避けるために入賞球排出経路５７およびアウト球排出経路６０を後方に折曲した部分より上側には、球排出経路部材５４(アウト用横通路６０ａ)と背面板４５との間に第１空間Ｓ１が画成されている。そして、前記背面板４５に配設した可動演出装置７１の可動体７０が、該第１空間Ｓ１を移動するようになっている(図１４〜図１６参照)。すなわち、球排出経路部材５４の両球排出経路５７,６０の途中を後方に折曲することにより生ずる第１空間Ｓ１を、可動体７０が移動する領域として有効利用することができる。このように実施例のパチンコ機１０では、複数の球排出経路５７,６０が形成される球排出経路部材５４を、上下方向の途中において後方に折曲することで、該折曲部の上方裏側に画成される第１空間Ｓ１を可動体７０の収容空間として利用すると共に、折曲部の下方前側に画成される第２空間Ｓ２を特別入賞装置３３の突出部分３３ｃの収容空間として利用することができ、該球排出経路部材５４の前後のスぺースを有効に利用し得る。また、前記可動体７０が枠状装飾部材３１や板状部材２０の裏側に隠れる待機位置に位置する際に、前記装飾部品４１を裏側から明輝させる前記発光装置７３は、球排出経路部材５４におけるアウト用横通路６０ａから後方に突出しないように配設しているので、該発光装置７３によって前記第１空間Ｓ１が圧迫されることはなく、大型の可動体７０を収容する空間を確保することができる。
【００８７】
前記球排出経路部材５４における前記第２空間Ｓ２を画成している部分は、前記特別入賞装置３３の突出部分３３ｃから後方に突出している前記通路形成部３３ｄの右側方に一部が左右方向で重なるようにして延在している(図１７参照)。すなわち、球排出経路部材５４における入賞球排出経路５７およびアウト球排出経路６０を、特別入賞装置３３の通路形成部３３ｄに対して前後に重ならない位置に延在させることで、前後スペースをより小さくし得る。言い替えるなら、特別入賞装置３３における通路形成部３３ｄの側方のスペースを利用して、球排出経路部材５４をスペース効率よく設けることができる。また、実施例のように入賞球排出経路５７およびアウト球排出経路６０を前後方向に折曲するよう形成することで、該球排出経路５７,６０を流下するパチンコ球の勢いを弱めることができ、該球排出経路５７,６０からパチンコ球が機外に勢いよく飛び出して飛散するのを抑制し得る。
【００８８】
前記球排出経路部材５４を配設した設置部材１９を前記板状部材２０の裏側に取り付けた状態で、図１４,図１６に示す如く、特別入賞球排出経路５８、入賞球排出経路５７の第５入賞用縦通路５７ｅおよびアウト球排出経路６０の第６アウト用縦通路９５ｆの前面(球排出経路部材５４の前面)が、板状部材２０の裏面に近接して該板状部材２０を裏側から支持可能に構成されている(図１４,図１６参照)。すなわち、特別入賞口３３ｅ、第２始動入賞口３４ａおよび第２アウト口５２に通入したパチンコ球を機外に排出する球排出経路５８,５７,６０を利用して、板状部材２０を安定して支持することができる。また、実施例では、前記設置部材１９に配設された可動演出装置７１の機構カバー９６の前側に突設される駆動モータ９８を、図１３に示す如く、球排出経路部材５４における第３アウト用縦通路９５ｃの下方で第４アウト用縦通路９５ｄの右側方において左右方向に重なるように位置させている。これにより、可動演出装置７１の機構カバー９６の前面に、図１４、図１６、図１７に示す如く、前記球排出経路部材５４における前記第２空間Ｓ２を画成するために後方に偏倚して設けられた第３入賞用縦通路５７ｃおよび第４アウト用縦通路９５ｄの後面(球排出経路部材５４の後面)を近接して対向し得るようになっている。すなわち、可動演出装置７１の機構カバー９６を利用して球排出経路部材５４(第３入賞用縦通路５７ｃおよび第４アウト用縦通路９５ｄ)が後方へ撓むのを防止することができる。
【００８９】
(変更例)
なお、遊技機の構成としては、実施例のものに限らず、種々の変更が可能である。
(1) 実施例では、入賞ユニットを枠状装飾部材の右側に配設したが、該入賞ユニットを枠状装飾部材の左側に配設し、第２アウト口および第２始動入賞口を第１球流下経路(左側)に開口する構成を採用し得る。
(2) 実施例では、第２アウト口の下側に位置する第２始動入賞口が、開閉部材により開閉されるよう構成したが、該第２始動入賞口は常に遊技領域に開口する常時開放タイプの入賞口であってもよい。
(3) 実施例では、入賞ユニットの設置部の前側に意匠部材を配設することで第２アウト口および第２始動入賞口を画成するよう構成したが、設置部に設けた壁部によって遊技領域に開口する第２アウト口および第２始動入賞口を画成し、該壁部の前面に第２アウト口および第２始動入賞口や誘導路を前側から覆うように意匠部材を配設する構成を採用し得る。
(4) 実施例では、第２アウト口の下縁を画成する下壁部と、第２始動入賞口の上縁を画成する上画壁とを別々に設けるよう構成したが、第２アウト口の下縁および第２始動入賞口の上縁を画成する１枚の板状の壁部によって両口が仕切られるようにしてもよい。
(5) 実施例では、第２アウト口の下側に第２始動入賞装置を設けた場合で説明したが、第２始動入賞装置に代えて特別入賞装置を配設するようにしてもよい。すなわち、枠状装飾部材に、遊技領域に開口する第２アウト口と特別入賞口(入賞口)とを上下に隣接して設ける構成を採用し得る。
【００９０】
(6) 実施例では、第２始動入賞口の上側に第２アウト口を設けた場合で説明したが、第２始動入賞口の上側に、遊技領域から取り込んだパチンコ球をステージや遊技領域の別の場所に排出するワープ通路の入口を設ける構成を採用し得る。
(7) 実施例では、板状部材に取り付けられた枠状装飾部材に入賞ユニットを設けた場合で説明したが、該入賞ユニットを第１アウト口より上側の板状部材に設ける構成を採用し得る。
(8) 実施例では、入賞球排出経路におけるパチンコ球の排出部である第５入賞用縦通路について、該第５入賞用縦通路の一部分のみが特別入賞装置の突出部分の後端より前側に偏倚するよう構成したが、第５入賞用縦通路の後端(球排出経路部材の後面)が突出部分の後端より前側に偏倚するように構成することができる。すなわち、第５入賞用縦通路の下端に画成されるパチンコ球の排出口(第１排出口)の全体が特別入賞装置の突出部分の後端より前側に偏倚する構成を採用し得る。
(9) 実施例では、入賞球排出経路における入賞口用誘導路との連通口(入賞用開口)およびパチンコ球の第１排出口を、特別入賞装置の突出部分の後端に対して前側に偏倚するよう構成したが、少なくとも一方が突出部分の後端に対して前側に偏倚する構成を採用し得る。例えば、第３入賞用縦通路を球排出経路部材の下端まで延在させる構成を採用することができ、この構成であっても突出部分との干渉を防止つつ第２入賞用縦通路の上方において設置部材の背面板との間に、遊技部材を配置可能な充分な空間を確保し得る。
(10) 実施例では、枠状装飾部材に第２始動入賞装置(始動入賞装置)を設けると共に、該第２始動入賞装置より下側の板状部材に特別入賞装置を配設した場合で説明したが、枠状装飾部材に特別入賞装置を設けると共に、該特別入賞装置より下側の板状部材に第２始動入賞装置(始動入賞装置)を配設する構成を採用し得る。
(11) 実施例では、板状部材に設けられて遊技領域に開口する第１の入球口として、該板状部材に取り付けられる枠状装飾部材に設けられる第２始動入賞口(入賞口)とした場合で説明したが、該第１の入球口は、板状部材に取り付けられた始動入賞装置の始動入賞口や、実施例の第２アウト口であってもよい。
【００９１】
(12) 実施例では、入賞球排出経路、アウト球排出経路および特別入賞球排出経路の前面、すなわちこれら各球排出経路を形成する球排出経路部材の前面を、板状部材の裏面に近接して該板状部材を裏側から支持可能に構成したが、設置部材を板状部材の裏側に取り付けた際に、該球排出経路部材の前面を板状部材の裏面に当接する構成を採用し得る。
(13) 実施例では、アウト球排出経路と入賞球排出経路とを下流端部で合流して１つの排出口(第１排出口)からパチンコ球を排出するよう構成したが、各球排出経路が夫々独立した排出口を備えるものであってもよい。
(14) 実施例では、アウト球排出経路と入賞球排出経路とを同一部材(球排出経路部材)に形成した場合で説明したが、独立した経路部材に形成したものであってもよい。そして、第２アウト口(第１の入球口)または第２始動入賞口(第１の入球口)の何れか一方に連通する球排出経路が形成された経路部材が、特別入賞装置(入球ユニット)の後方を迂回するように配設された構成を採用し得る。
(15) 実施例では、球排出経路部材に特別入賞球排出経路および普通入賞球排出経路を形成した場合で説明したが、これら特別入賞球排出経路および普通入賞球排出経路は、別の経路部材に形成するようにしてもよい。
(16) 遊技盤を構成する板状部材は、木製に限らず、アクリルやポリカーボネート等の光透過性の合成樹脂材からなる透明板であってもよい。
(17) 実施例では、遊技機としてパチンコ機を例示して説明したが、これに限られるものではなく、アレンジボール機やピンボール機、スロットマシン機等の各種遊技機を採用し得る。
【符号の説明】
【００９２】
１９ 設置部材
２０ 板状部材
２１ 遊技領域
３３ 特別入賞装置(入球ユニット)
３３ａ 開閉体(開閉部材)
３３ｄ 通路形成部(第２の誘導路)
３３ｅ 特別入賞口(第２の入球口)
３３ｇ 第２ソレノイド(駆動手段)
３４ａ 第２始動入賞口(第１の入球口）
５６ａ 入賞用開口(連通口)
５７ 入賞球排出経路(排出路)
５８ 特別入賞球排出経路(第２の排出路)
６１ 第１排出口(排出口)
８４ 入賞口用誘導路(誘導路)
【図１】
2015029733.tif 000003
【図２】
2015029733.tif 000004
【図３】
2015029733.tif 000005
【図４】
2015029733.tif 000006
【図５】
2015029733.tif 000007
【図６】
2015029733.tif 000008
【図７】
2015029733.tif 000009
【図８】
2015029733.tif 000010
【図９】
2015029733.tif 000011
【図１０】
2015029733.tif 000012
【図１１】
2015029733.tif 000013
【図１２】
2015029733.tif 000014
【図１３】
2015029733.tif 000015
【図１４】
2015029733.tif 000016
【図１５】
2015029733.tif 000017
【図１６】
2015029733.tif 000018
【図１７】
2015029733.tif 000019